(57)【要約】本発明の送風装置の一つの態様は、一方向に延びる中心軸周りに回転可能なインペラと、インペラの径方向内側に配置され、中心軸周りにインペラを回転させるモータと、モータに電気的に接続されたリードケーブルと、インペラの軸方向一方側においてモータを支持するモータ支持部と、モータ支持部よりも径方向外側に配置され、インペラおよびモータを周方向に囲むハウジングと、モータ支持部とハウジングとを繋ぐ複数のハウジングリブと、ハウジングの軸方向一方側に固定され、枠部を有するスペーサと、を備える。リードケーブルは、モータからハウジングよりも径方向外側に引き出されている。枠部の軸方向他方側の面は、ハウジングの軸方向一方側の面に接触している。枠部は、枠部の軸方向他方側の面から軸方向一方側に窪む第１凹部を有する。第１凹部は、枠部の径方向内側面に第１開口部を有し、かつ、リードケーブルと軸方向に重なる位置に配置されている。【選択図】図４
2018097048.tif 000002
【特許請求の範囲】
【請求項１】
一方向に延びる中心軸周りに回転可能なインペラと、  前記インペラの径方向内側に配置され、前記中心軸周りに前記インペラを回転させるモータと、  前記モータに電気的に接続されたリードケーブルと、  前記インペラの軸方向一方側において前記モータを支持するモータ支持部と、  前記モータ支持部よりも径方向外側に配置され、前記インペラおよび前記モータを周方向に囲むハウジングと、  前記モータ支持部と前記ハウジングとを繋ぐ複数のハウジングリブと、  前記ハウジングの軸方向一方側に固定され、枠部を有するスペーサと、  を備え、  前記リードケーブルは、前記モータから前記ハウジングよりも径方向外側に引き出され、  前記枠部の軸方向他方側の面は、前記ハウジングの軸方向一方側の面に接触し、  前記枠部は、前記枠部の軸方向他方側の面から軸方向一方側に窪む第１凹部を有し、  前記第１凹部は、前記枠部の径方向内側面に第１開口部を有し、かつ、前記リードケーブルと軸方向に重なる位置に配置されている、送風装置。
【請求項２】
前記スペーサは、    前記枠部の径方向内側において前記モータ支持部の軸方向一方側の面と軸方向に対向する対向部と、    前記対向部と前記枠部とを繋ぎ、周方向に沿って並んで配置された複数のスペーサリブと、  を有する、請求項１に記載の送風装置。
【請求項３】
前記リードケーブルのうち、軸方向に視て前記対向部と前記枠部との間に位置する引出部は、周方向に隣り合う前記スペーサリブ同士の隙間と軸方向に重なっている、請求項２に記載の送風装置。
【請求項４】
周方向に隣り合う前記スペーサリブ同士の隙間のうち前記引出部と重なる第１隙間は、周方向に隣り合う前記スペーサリブ同士の隙間のうちの前記第１隙間を除く他の隙間よりも、周方向の寸法が大きい、請求項３に記載の送風装置。
【請求項５】
前記スペーサリブは、軸方向に対して傾斜する受風面を有する翼形状である、請求項２から４のいずれか一項に記載の送風装置。
【請求項６】
前記スペーサリブの一部は、前記リードケーブルと軸方向に重なり、  前記リードケーブルと軸方向に重なる前記スペーサリブは、前記スペーサリブの軸方向他方側の端部から軸方向一方側に窪む第２凹部を有し、  前記第２凹部は、前記リードケーブルと軸方向に重なっている、請求項２に記載の送風装置。
【請求項７】
前記対向部は、前記対向部の軸方向他方側の面から軸方向一方側に窪む第３凹部を有し、  前記第３凹部は、前記リードケーブルと軸方向に重なっている、請求項２から６のいずれか一項に記載の送風装置。
【請求項８】
前記スペーサは、前記第１開口部の周方向両縁部から前記対向部まで延びる一対の第１壁部を有する、請求項２から７のいずれか一項に記載の送風装置。
【請求項９】
前記スペーサは、前記第１凹部の内側面から突出する凸部を有する、請求項１から８のいずれか一項に記載の送風装置。
【請求項１０】
前記第１凹部は、前記枠部の径方向外側面に第２開口部を有する、請求項１から９のいずれか一項に記載の送風装置。
【請求項１１】
前記スペーサは、前記枠部の径方向外側面のうち前記第２開口部の縁部から突出する突出壁部を有する、請求項１０に記載の送風装置。
【請求項１２】
前記枠部は、前記第１開口部と隙間を介して対向する第３壁部を有し、  前記第３壁部の径方向内側面は、前記第１凹部の内側面の一部である、請求項１から１０のいずれか一項に記載の送風装置。
【請求項１３】
前記リードケーブルの一部は、前記ハウジングの軸方向一方側の面よりも軸方向一方側に配置され、かつ、前記第１凹部内に配置されている、請求項１から１２のいずれか一項に記載の送風装置。
【請求項１４】
前記リードケーブルは、前記第１凹部の内側面のうち軸方向他方側を向く面と接触している、請求項１３に記載の送風装置。
【請求項１５】
前記ハウジングは、前記ハウジングの軸方向一方側の面から軸方向他方側に窪む第４凹部を有し、  前記第４凹部は、前記ハウジングの径方向内側面から前記ハウジングの径方向外側面まで前記ハウジングを貫通し、  前記第１凹部は、前記第４凹部と軸方向に対向し、  前記リードケーブルは、前記モータから前記第４凹部を介して前記ハウジングよりも径方向外側に引き出されている、請求項１から１４のいずれか一項に記載の送風装置。
【請求項１６】
前記モータ支持部と前記ハウジングとを繋ぐケーブルガイド部をさらに備え、  前記ケーブルガイド部は、前記ケーブルガイド部が延びる延伸方向に沿って延び前記ケーブルガイド部の前記延伸方向の両端に開口するケーブル引出通路を有し、  前記ケーブル引出通路の前記ハウジング側の開口は、前記第４凹部と繋がり、  前記リードケーブルは、前記ケーブル引出通路および前記第４凹部を介して、前記ハウジングよりも径方向外側に引き出されている、請求項１５に記載の送風装置。
【請求項１７】
前記ケーブルガイド部は、複数の前記ハウジングリブのうちの１つである、請求項１６に記載の送風装置。
【請求項１８】
前記第１凹部の内側面は、前記リードケーブルの外側面に沿った形状である、請求項１から１７のいずれか一項に記載の送風装置。
【請求項１９】
前記第１凹部の内側面のうち周方向一方側の面は、周方向と直交する面に対して傾いている、請求項１から１８のいずれか一項に記載の送風装置。
【発明の詳細な説明】
【技術分野】
【０００１】
本発明は、送風装置に関する。
【背景技術】
【０００２】
例えば、特許文献１に示すように、インペラを囲むケーシングを備える送風機が知られている。このような送風機をコンピュータ等の筐体に取り付ける際には、ケーシングにおけるインペラを回転させるモータを支持するモータベースと逆側の面を取付面とする場合が多い。
【先行技術文献】
【特許文献】
【０００３】
【特許文献１】特開２００２−５０９３号公報
【発明の概要】
【発明が解決しようとする課題】
【０００４】
しかし、上記のような送風機を、ケーシングにおけるモータベース側の面を取付面として、コンピュータ等の筐体に取り付ける場合がある。この場合、モータに電気的に接続されたリードケーブルがケーシングにおけるモータベース側の面から突出して、送風機を筐体に取り付けにくい場合があった。また、送風機の筐体に対する取付精度が十分得られない場合があった。  【０００５】
本発明は、上記問題点に鑑みて、モータ支持部側を被取付部材に向けた状態で、容易かつ精度よく被取付部材に取り付けることができる送風装置を提供することを目的の一つとする。
【課題を解決するための手段】
【０００６】
本発明の送風装置の一つの態様は、一方向に延びる中心軸周りに回転可能なインペラと、前記インペラの径方向内側に配置され、前記中心軸周りに前記インペラを回転させるモータと、前記モータに電気的に接続されたリードケーブルと、前記インペラの軸方向一方側において前記モータを支持するモータ支持部と、前記モータ支持部よりも径方向外側に配置され、前記インペラおよび前記モータを周方向に囲むハウジングと、前記モータ支持部と前記ハウジングとを繋ぐ複数のハウジングリブと、前記ハウジングの軸方向一方側に固定され、枠部を有するスペーサと、を備え、前記リードケーブルは、前記モータから前記ハウジングよりも径方向外側に引き出され、前記枠部の軸方向他方側の面は、前記ハウジングの軸方向一方側の面に接触し、前記枠部は、前記枠部の軸方向他方側の面から軸方向一方側に窪む第１凹部を有し、前記第１凹部は、前記枠部の径方向内側面に第１開口部を有し、かつ、前記リードケーブルと軸方向に重なる位置に配置されている、送風装置が提供される。
【発明の効果】
【０００７】
本発明の一つの態様によれば、モータ支持部側を被取付部材に向けた状態で、容易かつ精度よく被取付部材に取り付けることができる送風装置が提供される。
【図面の簡単な説明】
【０００８】
【図１】図１は、第１実施形態の送風装置を前側から視た図である。
【図２】図２は、第１実施形態の送風装置を示す図であって、図１におけるII−II断面図である。
【図３】図３は、第１実施形態の送風装置を後側から視た図である。
【図４】図４は、第１実施形態のスペーサを示す斜視図である。
【図５】図５は、第１実施形態のスペーサを前側から視た図である。
【図６】図６は、第１実施形態のスペーサの部分を示す図であって、図５におけるVI−VI断面図である。
【図７】図７は、第２実施形態のスペーサを示す斜視図である。
【図８】図８は、第３実施形態のスペーサを示す斜視図である。
【図９】図９は、第４実施形態のスペーサを示す斜視図である。
【図１０】図１０は、第５実施形態のスペーサの部分を示す斜視図である。
【図１１】図１１は、第５実施形態のスペーサの部分を示す図であって、図１０におけるXI−XI断面図である。
【図１２】図１２は、第６実施形態のスペーサを示す斜視図である。
【図１３】図１３は、第７実施形態のスペーサを示す斜視図である。
【図１４】図１４は、第８実施形態のスペーサを示す斜視図である。
【発明を実施するための形態】
【０００９】
＜第１実施形態＞  図１に示すように、本実施形態の送風装置１０は、被取付部材Ｂに取り付けられる。被取付部材Ｂは、例えば、コンピュータ等の筐体の一部を構成する板部材である。図１から図３に示すように、送風装置１０は、一方向に延びる中心軸Ｊ周りに回転可能なインペラ２０と、モータ３０と、モータ支持部４０と、回路基板８０と、ハウジング５０と、複数のハウジングリブ５１と、ケーブルガイド部７０と、リードケーブル８１と、封止材９０と、スペーサ６０と、を備える。本実施形態において中心軸Ｊが延びる一方向は、水平方向のうちの一方向である。なお、図３においては、スペーサ６０の図示を省略している。  
【００１０】
各図に示すＸＹＺ座標系において、Ｚ軸方向は、上下方向とする。Ｘ軸方向は、Ｚ軸方向と直交する水平方向とし、中心軸Ｊが延びる方向と平行な方向とする。Ｙ軸方向は、Ｚ軸方向およびＸ軸方向の両方と直交する水平方向とする。以下の説明においては、Ｘ軸方向、すなわち中心軸Ｊと平行な方向を単に「軸方向」と呼び、中心軸Ｊを中心とする径方向を単に「径方向」と呼び、中心軸Ｊを中心とする周方向を単に「周方向」と呼ぶ。Ｚ軸方向と平行な方向を「上下方向」と呼ぶ。また、Ｘ軸方向の正の側を「前側」と呼び、Ｘ軸方向の負の側を「後側」と呼ぶ。本実施形態において、「前側」は軸方向他方側に相当し、「後側」は軸方向一方側に相当する。Ｚ軸方向の正の側を「上側」と呼び、Ｚ軸方向の負の側を「下側」と呼ぶ。なお、上下方向、水平方向、前側、後側、上側および下側は、単に説明のために用いられる名称であって、実際の位置関係および方向を限定しない。  
【００１１】
図１および図２に示すように、インペラ２０は、後側に開口する筒状のインペラカップ２１と、インペラカップ２１の外周面に周方向に沿って配置された複数の翼２２と、を有する。  
【００１２】
図２に示すように、モータ３０は、インペラ２０の径方向内側に配置され、中心軸Ｊ周りにインペラ２０を回転させる。より詳細には、モータ３０は、インペラカップ２１の内部に配置される。本実施形態においてモータ３０は、インペラ２０を、例えば、前側から視て反時計回りの向きに回転させる。以下の説明においては、周方向において翼２２が進む側、すなわち前側から視て反時計回りに進む側を「下流側」と呼ぶ場合があり、周方向において翼２２が進む側と逆側、すなわち前側から視て時計回りに進む側を「上流側」と呼ぶ場合がある。各図において示す矢印ＤＲは、インペラ２０の回転する向きを示している。なお、本実施形態において下流側は、周方向一方側に相当する。  
【００１３】
図２に示すように、モータ３０は、シャフト３１と、ステータ３４と、ロータカップ３２と、ロータマグネット３３と、を有する。シャフト３１は、中心軸Ｊを中心として軸方向に延びている。シャフト３１は、後述するステータ支持部４１の径方向内側に挿入されている。シャフト３１は、ベアリングを介してステータ支持部４１の径方向内側面に回転可能に支持されている。シャフト３１の前端には、インペラカップ２１が固定されている。ステータ３４は、シャフト３１を周方向に囲む環状である。ステータ３４は、ステータ支持部４１の外周面に固定されている。ステータ３４の固定方法は、嵌め合わせ、接着、圧入等、特に限定されない。ステータ３４は、回路基板８０と電気的に接続されている。  
【００１４】
ロータカップ３２は、後側に開口する筒状であり、ステータ３４の径方向外側に配置されている。ロータカップ３２の前部は、インペラカップ２１の径方向内側に配置されている。ロータカップ３２は、インペラカップ２１に固定されている。なお、ロータカップ３２、インペラカップ２１およびシャフト３１の固定構造は、これに限定されない。ロータマグネット３３は、ロータカップ３２の内周面に固定されている。ロータマグネット３３は、例えば、円筒状である。ロータマグネット３３は、ステータ３４の径方向外側において、ステータ３４と径方向に隙間を介して対向している。  
【００１５】
モータ支持部４０は、インペラ２０の後側においてモータ３０を支持する。モータ支持部４０は、収容部４２と、ステータ支持部４１と、を有する。収容部４２は、前側に開口するカップ状である。収容部４２は、回路基板８０を収容する。収容部４２は、モータ３０の後側に配置されている。  
【００１６】
収容部４２は、径方向に拡がる底面部４２ａと、底面部４２ａの径方向外縁から前側に延びたカップ状の筒部４２ｂと、を有する。図３に示すように、底面部４２ａは、底面部４２ａを軸方向に貫通する底面部貫通孔４２ｃを有する。底面部貫通孔４２ｃは、底面部４２ａの径方向外縁に設けられている。  
【００１７】
図２に示すように、筒部４２ｂは、ステータ３４の後端、ロータカップ３２の後端およびロータマグネット３３の後端の径方向外側を周方向に囲んでいる。ステータ支持部４１は、底面部４２ａから前側に延びている。ステータ支持部４１は、中心軸Ｊを中心とした円筒状である。  
【００１８】
回路基板８０は、径方向に拡がる板状である。回路基板８０は、筒部４２ｂの径方向内側に配置されている。回路基板８０は、モータ３０の後側に配置され、少なくとも一部においてモータ３０と軸方向に重なっている。回路基板８０は、例えば、モータ支持部４０に固定されている。回路基板８０には、ステータ３４のコイルが接続されている。これにより、回路基板８０は、モータ３０と電気的に接続されている。  
【００１９】
ハウジング５０は、モータ支持部４０よりも径方向外側に配置されている。図２および図３に示すように、ハウジング５０は、軸方向に延びる角筒状である。ハウジング５０は、インペラ２０およびモータ３０を径方向外方から周方向に囲んでいる。図２では、ハウジング５０の後端は、モータ支持部４０の後端と、軸方向において同じ位置にある。図３では、ハウジング５０の外形は、軸方向に視て略正方形状である。ハウジング５０は、四隅に配置された角部５０ａを有する。角部５０ａは、軸方向に視て略三角形状である。角部５０ａの後面は、径方向内側の部分に、径方向外側から径方向内側に向かうに従って前側に位置する斜面部５０ｂを有する。  
【００２０】
ハウジング５０は、ハウジング５０の後側の面から前側に窪む第４凹部５０ｃを有する。本実施形態において第４凹部５０ｃは、角部５０ａのうちの１つに設けられている。第４凹部５０ｃは、ハウジング５０の径方向内側面からハウジング５０の径方向外側面までハウジング５０を貫通する。図３では、第４凹部５０ｃは、角部５０ａを上下方向に貫通している。  
【００２１】
複数のハウジングリブ５１は、モータ支持部４０とハウジング５０とを繋いでいる。より詳細には、複数のハウジングリブ５１は、収容部４２の外周面とハウジング５０の径方向内側面とを繋いでいる。複数のハウジングリブ５１は、周方向に沿って等間隔に配置されている。図３では、ハウジングリブ５１は、３つ設けられている。ハウジングリブ５１は、軸方向に視て径方向に対して傾斜した方向に延びている。図３では、ハウジングリブ５１は、軸方向に視て、モータ支持部４０からハウジング５０に向かって下流側に傾いた直線状である。  
【００２２】
ケーブルガイド部７０は、モータ支持部４０とハウジング５０とを繋いでいる。より詳細には、ケーブルガイド部７０は、収容部４２の外周面とハウジング５０の径方向内側面とを繋いでいる。本実施形態においてケーブルガイド部７０は、複数のハウジングリブ５１のうちの１つである。これにより、ハウジングリブ５１をケーブルガイド部７０として利用できるため、別途ケーブルガイド部を設ける必要がない。したがって、モータ支持部４０とハウジング５０とを繋ぐ部分の数を少なくでき、モータ支持部４０とハウジング５０との間を通る風の流れが阻害されることを抑制できる。そのため、送風装置１０の送風効率が低下することを抑制できる。図３では、ケーブルガイド部７０は、ほぼ上下方向に沿って延びている。  
【００２３】
ケーブルガイド部７０は、ケーブル引出通路７０ａを有する。ケーブル引出通路７０ａは、ケーブルガイド部７０が延びる延伸方向に沿って延びている。ケーブル引出通路７０ａは、ケーブルガイド部７０の後面から前側に窪む溝である。ケーブル引出通路７０ａ
は、ケーブルガイド部７０の延伸方向の両端に開口している。ケーブル引出通路７０ａのモータ支持部４０側の開口は、底面部貫通孔４２ｃと繋がっている。ケーブル引出通路７０ａのハウジング５０側の開口は、第４凹部５０ｃと繋がっている。ケーブル引出通路７０ａと第４凹部５０ｃとが連続して設けられることで、ケーブルガイド部７０の延伸方向に沿って直線状に延びた通路が構成されている。  
【００２４】
リードケーブル８１は、モータ３０に電気的に接続されている。図示は省略するが、リードケーブル８１は、回路基板８０に接続され、回路基板８０を介してモータ３０と電気的に接続されている。リードケーブル８１は、モータ３０からハウジング５０よりも径方向外側に引き出されている。本実施形態では、リードケーブル８１は、ケーブル引出通路７０ａおよび第４凹部５０ｃを介して、ハウジング５０よりも径方向外側に引き出されている。より詳細には、リードケーブル８１は、収容部４２の内部から底面部貫通孔４２ｃを介してケーブル引出通路７０ａ内に導かれ、第４凹部５０ｃの径方向外側の開口からハウジング５０よりも径方向外側に引き出されている。図３では、リードケーブル８１は、ハウジング５０から上側に引き出されている。図１に示すように、ハウジング５０から上側に引き出されたリードケーブル８１の一部は、固定部Ｂ１によって被取付部材Ｂに固定されている。  
【００２５】
図３に示すように、リードケーブル８１は、結束バンド８３によってケーブルガイド部７０に固定されている。結束バンド８３は、リードケーブル８１とケーブルガイド部７０とをまとめて囲む環状である。結束バンド８３は、リードケーブル８１の後端に接触して、リードケーブル８１をケーブル引出通路７０ａの内側面に押し付けている。これにより、ケーブル引出通路７０ａ内からリードケーブル８１が外れることを抑制できる。リードケーブル８１は、例えば、複数のリード線が可撓性を有するチューブによって被覆されて構成されている。リードケーブル８１の断面の外形は、外力が加えられていない状態において、概略円形状である。リードケーブル８１は、ケーブル引出通路７０ａに挿入された際に、ケーブル引出通路７０ａの内側面から力を受けて、変形する場合がある。なお、リードケーブル８１の断面の外形は、外力が加えられていない状態において、長方形、三角形等の多角形状であってもよい。  
【００２６】
図２に示すように、封止材９０は、収容部４２の内部に配置されている。図２では、封止材９０は、収容部４２の内部の後部に充填されている。封止材９０は、回路基板８０の少なくとも一部を覆っている。図２では、回路基板８０は封止材９０の内部に埋め込まれており、封止材９０は回路基板８０の全体を覆っている。封止材９０は、例えば、シリコーン等である。  
【００２７】
スペーサ６０は、全体として矩形枠状の部材である。スペーサ６０の外形は、軸方向に視て略正方形状である。スペーサ６０は、ハウジング５０の後側に固定されている。図４に示すように、スペーサ６０は、枠部６１と、対向部６２と、複数のスペーサリブ６３と、を有する。  
【００２８】
枠部６１は、軸方向に視てインペラ２０およびモータ３０を周方向に囲む矩形枠状である。図５に示すように、枠部６１は、四隅に配置された角部６１ａを有する。角部６１ａは、軸方向に視て略三角形状である。角部６１ａは、ハウジング５０の角部５０ａと軸方向に重なっている。枠部６１の軸方向に視た形状は、ハウジング５０の軸方向に視た形状とほぼ同じである。軸方向に視て、枠部６１の全体は、ほぼハウジング５０の全体と重なっている。図２に示すように、枠部６１の前側の面は、ハウジング５０の後側の面に接触している。図４に示すように、枠部６１は、第１凹部６４を有する。  
【００２９】
第１凹部６４は、枠部６１の前側の面から後側に窪んでいる。第１凹部６４は、枠部６１の径方向内側面に第１開口部６４ａを有するとともに、枠部６１の径方向外側面に第２開口部６４ｂを有する。すなわち、第１凹部６４は、枠部６１の径方向内側面から枠部６１の径方向外側面まで枠部６１を貫通する。本実施形態において第１開口部６４ａは、下側に開口する。本実施形態において第２開口部６４ｂは、上側に開口する。図６に示すように、第１凹部６４は、第４凹部５０ｃと軸方向に対向している。図５に示すように、第１凹部６４は、リードケーブル８１と軸方向に重なる位置に配置されている。  
【００３０】
本実施形態によれば、モータ支持部４０がインペラ２０の後側に設けられ、スペーサ６０がハウジング５０の後側の面に接触して設けられている。そのため、図２に示すように、スペーサ６０の後側の面を被取付部材Ｂと接触させて、送風装置１０を被取付部材Ｂに固定することで、例えば図６に示すようにリードケーブル８１がハウジング５０の後側の面よりも後側に突出している場合であっても、スペーサ６０の軸方向の厚みによって、リードケーブル８１の突出した部分を逃がすことができる。したがって、スペーサ６０を介して送風装置１０を被取付部材Ｂに対して容易に取り付けることができる。このとき、送風装置１０は、モータ支持部４０側、すなわち後側を被取付部材Ｂに向けた状態で、被取付部材Ｂに取り付けられる。  
【００３１】
また、枠部６１にリードケーブル８１と軸方向に重なる第１凹部６４が設けられているため、枠部６１と軸方向に重なる位置においてリードケーブル８１がハウジング５０よりも後側に突出していても、図６に示すようにリードケーブル８１の突出した部分を第１凹部６４で逃がすことができる。これにより、枠部６１の前側の面とハウジング５０の後側の面とを精度よく接触させることができる。したがって、スペーサ６０をハウジング５０に対して精度よく位置決めすることができる。その結果、スペーサ６０を介して被取付部材Ｂに取り付けられる送風装置１０の取付精度を向上できる。  
【００３２】
以上により、本実施形態によれば、モータ支持部４０側を被取付部材Ｂに向けた状態で、容易かつ精度よく被取付部材Ｂに取り付けることができる送風装置１０が得られる。本実施形態では、リードケーブル８１の一部は、ハウジング５０の後側の面よりも後側に配置され、かつ、第１凹部６４内に配置されている。上述した効果を有用に得られる。送風装置１０を被取付部材Ｂに取り付けられる手段は、特に限定されない。本実施形態では、ハウジング５０の角部５０ａとスペーサ６０の角部６１ａとを貫通するネジが被取付部材Ｂに締め込まれることによって、送風装置１０が被取付部材Ｂに固定されて、取り付けられる。  
【００３３】
また、本実施形態のように、リードケーブル８１がケーブルガイド部７０に結束バンド８３で留められている場合、結束バンド８３がハウジング５０よりも後側に突出する場合がある。これに対して、本実施形態によれば、スペーサ６０によって結束バンド８３の突出部分を逃がすことができるため、送風装置１０を被取付部材Ｂに対して容易に取り付けることができる。  
【００３４】
また、本実施形態では、第１凹部６４は、枠部６１の径方向両側の面に開口する開口部として、第１開口部６４ａおよび第２開口部６４ｂを有する。そのため、ハウジング５０よりも径方向外側に引き出されるリードケーブル８１を第１凹部６４によってより逃がしやすい。  
【００３５】
また、本実施形態では、ハウジング５０には第１凹部６４と対向する第４凹部５０ｃが設けられており、リードケーブル８１は、第４凹部５０ｃを介してハウジング５０よりも径方向外側に引き出されている。そのため、枠部６１と軸方向に重なる位置においてリードケーブル８１の少なくとも一部が第４凹部５０ｃ内に配置される。これにより、ハウジング５０よりも後側に突出するリードケーブル８１の部分の突出量を小さくできる。したがって、第１凹部６４の軸方向の寸法を小さくでき、スペーサ６０の剛性が低下することを抑制できる。本実施形態においては、第１凹部６４の軸方向の寸法は、例えば、第４凹部５０ｃの軸方向の寸法よりも小さい。  
【００３６】
また、本実施形態では、第４凹部５０ｃと繋がるケーブル引出通路７０ａを有するケーブルガイド部７０が設けられているため、リードケーブル８１をモータ３０から第４凹部５０ｃまで、所望する経路に沿って好適に案内することができる。これにより、モータ３０から第４凹部５０ｃまでの間においてリードケーブル８１が動くことを抑制できるとともに、リードケーブル８１がスペーサ６０と干渉する位置に配置されることを抑制できる。したがって、スペーサ６０を介して、送風装置１０をより容易かつ精度よく被取付部材Ｂに取り付けることができる。  
【００３７】
図６に示すように、本実施形態において第１凹部６４の内側面の形状は、上下方向に視て、略矩形を構成する辺のうちの３辺で構成される。軸方向および上下方向の両方と直交する幅方向において、第１凹部６４の寸法は、例えば、第４凹部５０ｃの寸法よりも大きい。第１凹部６４の幅方向の寸法は、例えば、第１凹部６４の軸方向の寸法よりも大きい。なお、幅方向とは、Ｙ軸方向と平行な方向である。以下の説明においては、Ｙ軸方向と平行な方向を「幅方向」と呼ぶ。  
【００３８】
図５に示すように、第１凹部６４の内側面のうち下流側の面である下流側面６４ｄは、周方向と直交する面に対して傾いている。そのため、周方向に沿って流れる風が下流側面６４ｄに衝突した際に、風を下流側面６４ｄに沿って受け流しやすい。これにより、風が下流側面６４ｄに衝突することによって生じる干渉音を低減できる。より詳細には、下流側面６４ｄは、周方向と直交する仮想面のうち、第１開口部６４ａの下流側の端部と中心軸Ｊとを通る仮想線を含む仮想面に対して傾いている。下流側面６４ｄは、例えば、軸方向と平行である。下流側面６４ｄは、径方向内側から径方向外側に向かうに従って下流側に位置する。  
【００３９】
図４に示すように、対向部６２は、中心軸Ｊを中心とする円筒状である。図２に示すように、対向部６２は、枠部６１の径方向内側においてモータ支持部４０の後側の面と軸方向に対向している。図２では、対向部６２とモータ支持部４０との軸方向の間には隙間が設けられている。そのため、モータ支持部４０と軸方向に重なる位置においてリードケーブル８１がハウジング５０よりも後側に突出する場合であっても、対向部６２とモータ支持部４０との軸方向の隙間によって、リードケーブル８１の突出部分を逃がすことができる。対向部６２の後側の面は、被取付部材Ｂと接触している。対向部６２の軸方向の寸法は、例えば、枠部６１の軸方向の寸法よりも小さい。  
【００４０】
図５に示すように、複数のスペーサリブ６３は、対向部６２と枠部６１とを繋ぎ、周方向に沿って並んで配置されている。そのため、スペーサリブ６３を静翼として利用することができる。これにより、スペーサリブ６３によって、スペーサ６０の内側を通る風の流れを整えることができる。したがって、送風装置１０の風量特性を向上できる。  
【００４１】
リードケーブル８１のうち、軸方向に視て対向部６２と枠部６１との間に位置する引出部８２は、周方向に隣り合うスペーサリブ６３同士の隙間６５と軸方向に重なっている。そのため、引出部８２がハウジング５０よりも後側に突出した場合であっても、隙間６５によって引出部８２を逃がすことができる。したがって、送風装置１０をより容易かつ精度よく被取付部材Ｂに取り付けることができる。  
【００４２】
周方向に隣り合うスペーサリブ６３同士の隙間６５のうち引出部８２と重なる第１隙間６５ａは、周方向に隣り合うスペーサリブ６３同士の隙間６５のうちの第１隙間６５ａを除く他の隙間６５ｂよりも、周方向の寸法が大きい。そのため、引出部８２を第１隙間６５ａと軸方向に重ねやすく、第１隙間６５ａによって引出部８２における突出部分をより逃がしやすい。  
【００４３】
複数の隙間６５ｂの周方向の寸法は、例えば、互いに同じである。すなわち、第１隙間６５ａの下流側に隣接するスペーサリブ６３ａから第１隙間６５ａの上流側に隣接するスペーサリブ６３ｂまで、周方向に沿ってインペ
ラ２０の回転する向きに辿る間においては、複数のスペーサリブ６３は周方向に沿って等間隔に配置されている。例えば、図５では、スペーサリブ６３は、１１本設けられている。１１本のスペーサリブ６３の配置関係は、周方向に沿って一周に亘って等間隔に配置された１２本のスペーサリブから１本のスペーサリブを除いた場合の１１本のスペーサリブの配置関係と同じである。除いた１本のスペーサリブによって、隙間６５ｂよりも周方向の寸法が大きい第１隙間６５ａが設けられている。  
【００４４】
図２に示すように、スペーサリブ６３の軸方向の寸法は、対向部６２の軸方向の寸法よりも小さい。スペーサリブ６３の前端は、軸方向において、対向部６２の前端と同じ位置に配置されている。スペーサリブ６３の後端は、対向部６２の後端よりも前側に配置されている。送風装置１０を被取付部材Ｂに取り付けた状態において、スペーサリブ６３と被取付部材Ｂとの間には、隙間が設けられている。そのため、スペーサリブ６３が振動する場合であっても、スペーサリブ６３が被取付部材Ｂと接触することを抑制できる。  
【００４５】
図５に示すように、スペーサリブ６３は、軸方向に視て径方向に対して傾斜した方向に延びている。図５では、スペーサリブ６３は、軸方向に視て、対向部６２から枠部６１に向かって上流側に傾いた直線状である。図４に示すように、本実施形態においてスペーサリブ６３は、軸方向に対して傾斜する受風面６３ｃを有する翼形状である。そのため、スペーサリブ６３がインペラ２０によって送られる風を整流する静翼として機能し、スペーサリブ６３による整流効果をより大きく得られる。  
【００４６】
受風面６３ｃは、径方向と直交する断面における後側の端縁が前側の端縁よりインペラ２０の回転方向における下流側に位置する向きに傾斜する傾斜面である。受風面６３ｃは、前側を向いている。受風面６３ｃの前端と受風面６３ｃの後端とは、平面、あるいは滑らかな曲面で繋がっている。  
【００４７】
本発明は上述の実施形態に限られず、他の構成を採用することもできる。以下の説明において上記説明と同様の構成については、適宜同一の符号を付す等により説明を省略する場合がある。  
【００４８】
対向部６２の形状は、特に限定されない。対向部６２は、例えば、多角筒状であってもよいし、円板状であってもよいし、多角板状であってもよい。スペーサリブ６３の数は、特に限定されない。スペーサリブ６３の数は、１１本よりも少なくともよいし、１１本よりも多くてもよい。また、スペーサリブ６３ａからスペーサリブ６３ｂまで周方向に沿ってインペラ２０の回転する向きに辿る間において、複数のスペーサリブ６３は周方向に沿って異なる間隔で配置されていてもよい。すなわち、複数の隙間６５ｂの周方向の寸法は、互いに異なっていてもよい。スペーサリブ６３の形状は、特に限定されず、静翼形状でなくてもよい。スペーサリブ６３の形状は、ハウジングリブ５１の形状と同じであってもよい。また、対向部６２およびスペーサリブ６３は、設けられていなくてもよい。  
【００４９】
また、リードケーブル８１は、ハウジング５０よりも後側に突出していなくてもよい。また、結束バンド８３は、設けられていなくてもよい。ケーブルガイド部７０は、ハウジングリブ５１とは別に設けられていてもよい。ケーブルガイド部７０は、設けられていなくてもよい。第４凹部５０ｃは、設けられていなくてもよい。  
【００５０】
＜第２実施形態＞  図７に示す本実施形態の送風装置１１０において、スペーサ１６０における枠部１６１の第１凹部１６４は、第１実施形態の第１凹部６４に対して、周方向の寸法が大きい。第１凹部１６４は、第１凹部１６４が設けられた角部６１ａの全体に亘って設けられている。第１凹部１６４の底面１６４ｃは、第１凹部１６４が設けられた角部６１ａの前面である。第１凹部１６４が設けられていることによって、第１凹部１６４が設けられた角部６１ａの軸方向の寸法は、他の角部６１ａの軸方向の寸法よりも小さい。本実施形態によれば、第１凹部１６４が比較的大きいため、例えば、引き出されるリードケーブル８１の周方向の位置が異なる様々なハウジングに対しても、第１凹部１６４によってリードケーブル８１を逃がしやすい。  
【００５１】
＜第３実施形態＞  図８に示す本実施形態の送風装置２１０において、スペーサ２６０は、一対の第１壁部２６６ａ，２６６ｂと、第２壁部２６６ｃと、を有する。一対の第１壁部２６６ａ，２６６ｂは、第１開口部６４ａの周方向両縁部から対向部６２まで延びている。そのため、周方向に隣り合うスペーサリブ６３同士の隙間６５を通る風が、一対の第１壁部２６６ａ，２６６ｂに阻害され、第１凹部６４内に進入しにくい。これにより、隙間６５を通る風が第１凹部６４からスペーサ２６０の径方向外側に漏れることを抑制できる。したがって、本実施形態によれば、送風装置２１０の送風効率が低下することを抑制できる。  
【００５２】
第１壁部２６６ａ，２６６ｂは、長方形板状である。第１壁部２６６ａ，２６６ｂの板面は、軸方向と平行である。第１壁部２６６ａ，２６６ｂが延びる方向は、ケーブルガイド部７０の延伸方向と平行である。第１壁部２６６ａ，２６６ｂの前端は、ケーブルガイド部７０の後端と接触している。  
【００５３】
第２壁部２６６ｃは、第１開口部６４ａの後側の縁部から対向部６２まで延びている。第２壁部２６６ｃは、長方形板状である。第２壁部２６６ｃの板面は、軸方向と平行で、かつ、第１壁部２６６ａ，２６６ｂの板面とほぼ直交する。第２壁部２６６ｃが延びる方向は、ケーブルガイド部７０の延伸方向と平行である。第２壁部２６６ｃは、一対の第１壁部２６６ａ，２６６ｂの後側の端部同士を周方向に繋いでいる。  
【００５４】
本実施形態によれば、第１壁部２６６ａ，２６６ｂと第２壁部２６６ｃとが設けられることで、第１壁部２６６ａ，２６６ｂと第２壁部２６６ｃと対向部６２とによってカバー２６７が構成される。カバー２６７の内側は、第１凹部６４の内側と繋がっている。そのため、周方向に隣り合うスペーサリブ６３同士の隙間６５を通る風が、カバー２６７に阻害されて、より第１凹部６４内に進入しにくい。これにより、隙間６５を通る風が第１凹部６４からスペーサ２６０の径方向外側に漏れることをより抑制できる。したがって、本実施形態によれば、送風装置２１０の送風効率が低下することをより抑制できる。  
【００５５】
本実施形態では、カバー２６７は、ケーブルガイド部７０後側を覆い、ケーブル引出通路７０ａの後側の開口を閉塞している。そのため、例えば、カバー２６７内とケーブル引出通路７０ａ内とに、樹脂等を充填することができる。これにより、リードケーブル８１の外側面とカバー２６７の内側面との間、およびリードケーブル８１の外側面とケーブル引出通路７０ａの内側面との間を樹脂で埋めることができ、隙間６５を通る風がスペーサ２６０の径方向外側に漏れることをより抑制できる。なお、本実施形態において、ケーブルガイド部７０および第４凹部５０ｃは、設けられていなくてもよい。  
【００５６】
＜第４実施形態＞  図９に示す本実施形態の送風装置３１０において、スペーサ３６０は、スペーサリブ３６３を有する。スペーサリブ３６３は、スペーサリブ６３ａとスペーサリブ６３ｂとの周方向の間に配置されている。本実施形態では、第１実施形態の複数のスペーサリブ６３とスペーサリブ３６３とを含む１２本のスペーサリブが、周方向に沿って、一周に亘って等間隔に配置されている。図示は省略するが、スペーサリブ３６３の一部は、リードケーブル８１と軸方向に重なっている。  
【００５７】
リードケーブル８１と軸方向に重なるスペーサリブ３６３は、スペーサリブ３６３の前側の端部から後側に窪む第２凹部３６３ｃを有する。第２凹部３６３ｃは、リードケーブル８１と軸方向に重なっている。そのため、リードケーブル８１がハウジング５０よりも後側に突出する場合であっても、リードケーブル８１と軸方向に重なる位置にスペーサリブ３６３を配置しつつ、第２凹部３６３ｃによってリードケーブル８１の突出部分を逃がすことができる。これにより、スペーサリブの数を多くして整流効果を高めつつ、スペーサ３６０をハウジング５０に対して精度よく位置決めすることができる。第２凹部３６３ｃは、スペーサリブ３６３の径方向内端に設けられている。  
【００５８】
本実施形態において対向部３６２は、対向部３６２の前側の面から後側に窪む第３凹部３６２ａを有する。図示は省略するが、第３凹部３６２ａは、リードケーブル８１と軸方向に重なっている。そのため、対向部３６２と軸方向に重なる位置においてリードケーブル８１がハウジング５０よりも後側に突出していても、リードケーブル８１の突出部分を第３凹部３６２ａによって逃がすことができる。これにより、スペーサ３６０をハウジング５０に対して精度よく位置決めすることができる。  
【００５９】
第３凹部３６２ａは、対向部３６２の壁部を径方向に貫通している。第３凹部３６２ａの後側の周縁部には、スペーサリブ３６３が接続されている。第３凹部３６２ａは、第２凹部３６３ｃと繋がっている。  
【００６０】
＜第５実施形態＞  図１０に示す本実施形態の送風装置４１０において、スペーサ４６０は、凸部４６８を有する。凸部４６８は、第１凹部６４の内側面から突出している。そのため、図１１に示すように、第１凹部６４内に挿入されるリードケーブル８１を凸部４６８に密着させて、リードケーブル８１の外側面と第１凹部６４の内側面との間から風が漏れることを抑制できる。これにより、送風装置４１０の送風効率が低下することを抑制できる。  
【００６１】
図１０に示すように、凸部４６８は、第１部分４６８ａと、一対の第２部分４６８ｂと、を有する。第１部分４６８ａは、第１凹部６４の内側面のうち前側を向く面から前側に突出している。第１部分４６８ａは、幅方向に延びている。第１部分４６８ａは、第１凹部６４の内側面のうち前側を向く面の幅方向一端から幅方向他端まで延びている。  
【００６２】
一対の第２部分４６８ｂは、第１凹部６４の内側面のうち幅方向両側を向く面のそれぞれから幅方向に突出している。第２部分４６８ｂは、第１部分４６８ａの幅方向両端から前側に延びている。第２部分４６８ｂは、第１凹部６４の内側面のうち幅方向を向く面の後端から前端まで延びている。図１１に示すように、第１部分４６８ａと一対の第２部分４６８ｂとは、リードケーブル８１と接触している。  
【００６３】
本実施形態においてリードケーブル８１は、第１凹部６４の内側面のうち前側を向く面と接触している。そのため、リードケーブル８１の外側面と第１凹部６４の内側面との間から風が漏れることを抑制できる。したがって、送風装置４１０の送風効率が低下することを抑制できる。本実施形態では、リードケーブル８１は、第１凹部６４の内側面のうち幅方向を向く面と接触している。これにより、リードケーブル８１の外側面と第１凹部６４の内側面との間から風が漏れることを抑制でき、送風装置４１０の送風効率が低下することをより抑制できる。  
【００６４】
＜第６実施形態＞  図１２に示す本実施形態の送風装置５１０において、スペーサ５６０における枠部５６１の第１凹部５６４は、第１実施形態の第１凹部６４と形状が異なる。第１凹部５６４の内側面は、上下方向に視て、後側に凸となる半円弧状である。すなわち、第１凹部５６４の内側面は、リードケーブル８１の外側面に沿った形状である。これにより、リードケーブル８１の外側面と第１凹部５６４の内側面との隙間を小さくする、あるいは無くすことができ、リードケーブル８１の外側面と第１凹部５６４の内側面との間から風が漏れることを抑制できる。したがって、送風装置５１０の送風効率が低下することを抑制できる。  
【００６５】
＜第７実施形態＞  図１３に示す本実施形態の送風装置６１０において、スペーサ６６０における枠部６６１は、第３壁部６６８を有する。第３壁部６６８は、第１開口部６４ａと隙間を介して対向している。第３壁部６６８の径方向内側面は、第１凹部６６４の内側面の一部である。そのため
、第１開口部６４ａから第１凹部６６４内に入った風が、第３壁部６６８によって阻まれ、スペーサ６６０の径方向外側に漏れることを抑制できる。これにより、送風装置６１０の送風効率が低下することを抑制できる。本実施形態では、第３壁部６６８の径方向内側面は、第１凹部６６４の内側面のうち下側を向く面を構成している。  
【００６６】
第１凹部６６４においては、第１実施形態における第２開口部６４ｂが第３壁部６６８によって閉塞されている。第３壁部６６８の径方向外側面は、上下方向と直交し、枠部６６１の径方向外側面の一部を構成している。第３壁部６６８の前端は、軸方向において、第１凹部６６４の前端と同じ位置に配置されている。なお、第３壁部６６８の前端は、第１凹部６６４の前端よりも後側に配置されていてもよい。また、図１３では、第３壁部６６８は、第１実施形態における第２開口部６４ｂの全体を閉塞しているが、これに限られない。第３壁部６６８は、第１実施形態における第２開口部６４ｂの一部を閉塞してもよい。  
【００６７】
＜第８実施形態＞  図１４に示す本実施形態の送風装置７１０において、スペーサ７６０は、枠部６１の径方向外側面のうち第２開口部６４ｂの縁部から突出する突出壁部７６９を有する。そのため、組立者は、突出壁部７６９を目印として第１凹部６４の位置を容易に把握することができ、ハウジング５０に対してスペーサ７６０の取り付ける向きを容易に把握できる。これにより、送風装置７１０の組み立てを容易にできる。また、スペーサ７６０をハウジング５０に取り付ける際に用いる治具の形状を、正しい向き以外では突出壁部７６９と干渉する形状とすることで、スペーサ７６０を誤った向きでハウジング５０に固定することを抑制できる。  
【００６８】
本実施形態において突出壁部７６９は、第１突出壁部７６９ａと、一対の第２突出壁部７６９ｂと、を有する。第１突出壁部７６９ａは、第２開口部６４ｂの縁部のうち後側の縁部から上側に突出している。第１突出壁部７６９ａは、幅方向に延びている。一対の第２突出壁部７６９ｂは、第２開口部６４ｂの縁部のうち幅方向両側の縁部のそれぞれから上側に突出している。一対の第２突出壁部７６９ｂの後端は、第１突出壁部７６９ａの幅方向両端とそれぞれ接続されている。  
【００６９】
突出壁部７６９は、後側に窪む第５凹部７６９ｃを有する。第５凹部７６９ｃは、第１突出壁部７６９ａと一対の第２突出壁部７６９ｂとによって構成されている。第５凹部７６９ｃは、第１凹部６４と接続されている。第１凹部６４の内側面と第５凹部７６９ｃの内側面とは、連続して滑らかに接続されている。これにより、第１凹部６４と第５凹部７６９ｃとによって、上下方向に延び、第１凹部６４よりも上下方向の寸法が大きい延長凹部が構成されている。第５凹部７６９ｃは、リードケーブル８１と軸方向に重なる位置に配置されている。  
【００７０】
本実施形態では、例えば、第５凹部７６９ｃと軸方向に重なる位置においてリードケーブル８１がハウジング５０よりも後側に突出している。そのため、第１凹部６４と第５凹部７６９ｃとによって構成された延長凹部に沿ってリードケーブル８１をハウジング５０よりも径方向外側に引き出すことができる。これにより、突出壁部７６９が設けられていない場合に比べて、リードケーブル８１を曲がりにくくすることができる。したがって、リードケーブル８１が劣化することを抑制できる。  
【００７１】
また、第１凹部６４に第５凹部７６９ｃが接続されたことで、隙間６５を通る風が第１凹部６４から第５凹部７６９ｃを介してスペーサ７６０の径方向外側に抜けにくい。そのため、隙間６５を通る風がスペーサ７６０の径方向外側に漏れることを抑制できる。したがって、本実施形態によれば、送風装置７１０の送風効率が低下することを抑制できる。  
【００７２】
本実施形態において対向部７６２の第３凹部７６２ａは、周方向に延びている。第３凹部７６２ａは、第１隙間６５ａの上流側に隣接するスペーサリブ７６３ｂが接続される対向部７６２の部分よりも上流側から下流側まで延びている。幅方向において第３凹部７６２ａの両端部の位置は、第１凹部６４の両端部の位置とほぼ同じである。本実施形態においてスペーサリブ７６３ｂは、上述した第２凹部３６３ｃと同様の第２凹部７６３ｃを有する。  
【００７３】
上述した各実施形態の送風装置が取り付けられる被取付部材Ｂは、特に限定されない。上述した各実施形態の送風装置は、いかなる部材に取り付けられてもよい。また、上述した各実施形態の送風装置の用途は、特に限定されない。上記の各構成は、相互に矛盾しない範囲内において、適宜組み合わせることができる。
【符号の説明】
【００７４】
１０，１１０，２１０，３１０，４１０，５１０，６１０，７１０…送風装置、２０…インペラ、２２…翼、３０…モータ、４０…モータ支持部、５０…ハウジング、５０ｃ…第４凹部、５１…ハウジングリブ、６０，１６０，２６０，３６０，４６０，５６０，６６０，７６０…スペーサ、６１，１６１，５６１，６６１…枠部、６２，３６２，７６２…対向部、６３，６３ａ，６３ｂ，３６３，７６３ｂ…スペーサリブ、６３ｃ…受風面、６４，１６４，５６４，６６４…第１凹部、６４ａ…第１開口部、６４ｂ…第２開口部、６５，６５ｂ…隙間、６５ａ…第１隙間、７０…ケーブルガイド部、７０ａ…ケーブル引出通路、８１…リードケーブル、８２…引出部、２６６ａ…第１壁部、２６６ｃ…第２壁部、３６２ａ，７６２ａ…第３凹部、３６３ｃ，７６３ｃ…第２凹部、４６８…凸部、６６８…第３壁部、７６９…突出壁部、Ｊ…中心軸
【図１】
2018097048.tif 000003
【図２】
2018097048.tif 000004
【図３】
2018097048.tif 000005
【図４】
2018097048.tif 000006
【図５】
2018097048.tif 000007
【図６】
2018097048.tif 000008
【図７】
2018097048.tif 000009
【図８】
2018097048.tif 000010
【図９】
2018097048.tif 000011
【図１０】
2018097048.tif 000012
【図１１】
2018097048.tif 000013
【図１２】
2018097048.tif 000014
【図１３】
2018097048.tif 000015
【図１４】
2018097048.tif 000016
【国際調査報告】
2018097048.tif 000017
2018097048.tif 000018
2018097048.tif 000019
2018097048.tif 000020